(57)【要約】【課題】使用しない時には簡単な操作で転写ヘッドの保護をすることができ、且つ使用する時には簡単な操作で転写ヘッドを使えるようにすることができる塗膜転写具を提供する。【解決手段】基体に繰出リールと巻取リール及び転写ヘッドを配設し、その基体をケース体の内部に、弾発体によりケース体の先端開口部の反対方向へ付勢して転写ヘッドがケース体内に位置するよう配置し、ケース体より外方に突出した操作部をスライドさせることにより基体をケース体の先端開口部へ向かって前進させ、転写ヘッドをケース体の先端開口部より突出させるとともに、ケース体に設けた係止手段を基体に係止することにより転写ヘッドの突出状態を維持し、前記係止手段の基体への係止を解除することにより基体を後退させ転写ヘッドを待機位置に没入させてなる塗膜転写具。【選択図】      図３
2004216837.tif 000002
【特許請求の範囲】
【請求項１】
ケース体の内部に、基材の表面に塗膜を塗着した転写テープを捲回した繰出リールと転写テープを巻取る巻取リールとを備え、ケース体の外部に先端が突出するように設けた転写ヘッドで繰出リールより繰出した転写テープを折返し、転写ヘッドを被転写面に圧接した状態で移動させることにより塗膜を被転写面に転写する構造の塗膜転写具であって、基体に繰出リールと巻取リール及び転写ヘッドを配設し、その基体をケース体の内部に、弾発体によりケース体の先端開口部の反対方向へ付勢して転写ヘッドがケース体内に位置するよう配置し、ケース体より外方に突出した操作部をスライドさせることにより基体をケース体の先端開口部へ向かって前進させ、転写ヘッドをケース体の先端開口部より突出させるとともに、ケース体に設けた係止手段を基体に係止することにより転写ヘッドの突出状態を維持し、前記係止手段の基体への係止を解除することにより基体を後退させ転写ヘッドを待機位置に没入させてなることを特徴とする塗膜転写具。
【請求項２】
前記基体の後端に、前記ケース体の後端開口部より突出する膨出部を延設して操作部とし、前記ケース体の外側面に軸部を設け、該軸部に軸着する軸受部と、前記基体の後退を抑制する前記基体の外側部に係止する係止爪を有した係止体を、前記軸受部を前記軸部に軸着し、基体が先端開口部に向かって前進した際に、係止爪が弾性体の弾発力で軸部を支点に回転して基体の外側部に係止し、係止体の弾性体側を押動した際に係止爪が軸部を支点に回転して基体から離間する係止手段を前記ケース体に設けたことを特徴とする請求項１に記載の繰出式の塗膜転写具。
【請求項３】
前記ケース体の後方部へ窓部を有するクリップを形成し、クリップの窓部の位置となるケース体の外側面に軸部を設け、クリップに弾性体を当接して係止体の軸受部を軸部に軸着したことを特徴とする請求項２に記載の塗膜転写具。
【請求項４】
前記ケース体の後部に蓋体を設け、蓋体の開閉により基体をケース体より着脱可能とし、基体の着脱に際して係止体の係止爪が弾性体の弾発力により基体の側面に当接して摺動することを特徴とする請求項１ないし３のいずれか１項に記載の塗膜転写具。
【発明の詳細な説明】
【０００１】
【発明の属する技術分野】
本発明は、ケース体の内部に、基材の表面に塗膜を塗着した転写テープを捲回した繰出リールと繰出リールより繰出された転写テープを巻取る巻取リールとを備え、ケース体の外部に先端が突出するように設けた転写ヘッドで繰出リールより繰出した転写テープを折返し、転写ヘッドを被転写面に圧接した状態で移動させることにより塗膜を被転写面に転写する構造の塗膜転写具に関する。
【０００２】
【従来技術】
従来より、紙やフィルム等の基材の表面に修正剤、着色剤、粘着剤等の塗膜を設けてテープ状に加工し、紙面等の被転写面に修正剤、着色剤、粘着剤を圧接して転写する構造の塗膜転写具は良く知られている。
【０００３】
塗膜転写具は一般的に、使用時の視認性や転写時の転写性を考慮して、塗膜転写具のケース体から突出した転写ヘッドを有している。転写テープはこの転写ヘッドの先端で折返すので、折返し前の転写テープは基材に未使用の塗膜が着いた状態で外部に露出している。したがって、未使用の塗膜に対して埃等が付着してしまわないように、あるいは、露出した塗膜が別のものに付着して汚してしまわないようにするために、転写ヘッドを保護できる構造のものが好まれており、そのような構造を備えたものが数多くある。
【０００４】
従来の転写ヘッドを保護する構造の一つにキャップ式のものがある。使用しない時は転写ヘッドにキャップを被せ、キャップの口元を転写具のケースに嵌めて保護する構造のものである。また、別の構造としては、特開平１０−１１９４８８号公報や実用新案登録第３００３０３０号公報等に記載されているものがある。いずれも、ケース体に対して摺動可能な保護部材を備えており、保護部材を転写ヘッドの先端方向へスライドさせることにより、転写ヘッドを覆って保護する構造である。
【０００５】
【特許文献１】特開平１０−１１９４８８号公報
【特許文献２】実用新案登録第３００３０３０号公報
【０００６】
【発明が解決しようとする課題】
しかしながらキャップ式のものは転写を行う時に、キャップをケース体より外さなければならず、外したキャップを保管するために例えばキャップをケース体の後部に嵌めるという動作が必要となる。当然のことながら、転写を終えた時には、先程と反対の動作で転写ヘッドを保護しなければならない。尚、従来構造の中にはキャップをケース体の先端部にヒンジ構造で付設して、キャップを回転することにより、転写ヘッドを使用状態にしたり保護したりする構造のものもあるが、転写時にケース体の先端部にあるキャップが視界の妨げになるという問題がある。また、保護部材をスライドさせて転写ヘッドを保護する構造のものは、ケース体の先端側に別部材の保護部材を配設することから、ケース体の先端部が太くなりデザインを制限してしまうという問題や、保護部材を手でスライドさせた際のスライド量が不十分である場合には、転写ヘッドを充分に保護しきれないという問題がある。
【０００７】
本発明では、使用しない時には簡単な操作で転写ヘッドの保護をすることができ、且つ使用する時には簡単な操作で転写ヘッドを使えるようにすることができる塗膜転写具を提供することを目的とする。
【０００８】
【課題を解決するための手段】
次に、前記課題を解決するために案出した本発明を説明する。
「１．  ケース体の内部に、基材の表面に塗膜を塗着した転写テープを捲回した繰出リールと転写テープを巻取る巻取リールとを備え、ケース体の外部に先端が突出するように設けた転写ヘッドで繰出リールより繰出した転写テープを折返し、転写ヘッドを被転写面に圧接した状態で移動させることにより塗膜を被転写面に転写する構造の塗膜転写具であって、基体に繰出リールと巻取リール及び転写ヘッドを配設し、その基体をケース体の内部に、弾発体によりケース体の先端開口部の反対方向へ付勢して転写ヘッドがケース体内に位置するよう配置し、ケース体より外方に突出した操作部をスライドさせることにより基体をケース体の先端開口部へ向かって前進させ、転写ヘッドをケース体の先端開口部より突出させるとともに、ケース体に設けた係止手段を基体に係止することにより転写ヘッドの突出状態を維持し、前記係止手段の基体への係止を解除することにより基体を後退させ転写ヘッドを待機位置に没入させてなることを特徴とする。
２．  前記基体の後端に、前記ケース体の後端開口部より突出する膨出部を延設して操作部とし、前記ケース体の外側面に軸部を設け、該軸部に軸着する軸受部と、前記基体の後退を抑制する前記基体の外側部に係止する係止爪を有した係止体を、前記軸受部を前記軸部に軸着し、基体が先端開口部に向かって前進した際に、係止爪が弾性体の弾発力で軸部を支点に回転して基体の外側部に係止し、係止体の弾性体側を押動した際に係止爪が軸部を支点に回転して基体から離間する係止手段を前記ケース体に設けたことを特徴とする。
３．  前記ケース体の後方部へ窓部を有するクリップを形成し、クリップの窓部の位置となるケース体の外側面に軸部を設け、クリップに弾性体を当接して係止体の軸受部を軸部に軸着したことを特徴とする。
４．  前記ケース体の後部に蓋体を設け、蓋体の開閉により基体をケース体より着脱可能とし、基体の着脱に際して係止体の係止爪が弾性体の弾発力により基体の側面に当接して摺動することを特徴とする。」
【０００９】
請求項１に係る発明の塗膜転写具は、使用する時には操作部を押動して基体を前進させることにより転写ヘッドをケース体から突出させた状態で維持することができる構造なので、ノック式筆記具のように簡単な操作で転写ヘッドを使用することが可能となる。また、使用しない時には、解除手段を用いて係止を解除することにより、転写ヘッドを基体と共に弾発体の弾発力で確実にケース体の内部の待機位置まで没入させることができる。したがって、操作不十分により転写ヘッドを保護しきれないということがない。
【００１０】
請求項２に係る発明の塗膜転写具は、基体の後端を延設して操作部を形成することから、部品点数を省略でき、構造が単純化されて組立も容易となる。また、係止手段を構成する係止体の係止爪が、弾性体の弾発力によって軸部を支点に回転し基体を係止する構造なので、基体が前進した際には自動的に係止爪が基体の外側部を係止できる。また、係止体の弾性体がある側を弾性体の弾発力に抗して押動することにより、係止爪が軸部を支点に回転して基体から離間し、係止を解除し、転写ヘッドを基体と共に弾発体の弾発力でケース体の内部の待機位置まで没入させることができる。したがって、転写ヘッドが没入状態にある時に、弾性体は圧縮された状態であることから、次に基体が前進した際にも、自動的に係止爪を基体の外側部に係止させることができる。
【００１１】
請求項３に係る発明の塗膜転写具は、請求項２の効果を奏すると共に、ケース体の後部に設けたクリップでポケット等を挟持して、携行の利便性を向上させることができる。特に本発明では、ポケットにクリップを挟持した後になってから、転写ヘッドの突出状態に気付いた場合においても、係止を解除する係止体がクリップの表側に位置する構造なので、ポケットから塗膜転写具を取り外さずとも係止体を押圧することができ、係止を解除して転写ヘッドをケース体の内部に没入させることができる。
【００１２】
請求項４に係る発明の塗膜転写具は、繰出リールに巻いた未使用の転写テープが無くなった場合に、ケース体の後部の蓋体を開くことにより内部の基体を抜き出して交換できるので、経済性を向上させることができる。特に、本発明では、係止体の係止爪が弾性体の弾発力によって基体の側面を当接して摺動する構造なので、弾発体が基体を後方へ付勢していてもケース体から基体が勢いよく飛び出してしまうことを防ぐことが可能となる。
【００１３】
【発明の実施の形態】
基体を弾発する弾発体としては、コイルスプリングやスポンジ等の周知の弾性部材を使用することができる。あるいはケース体や基体の一部をバネ形状に加工して弾発体とすることもできる。また、係止体とケースとの間に配する弾性体としては、コイルスプリングやスポンジ等の周知の弾性部材を使用することができる。あるいは、ケース体や係止体の一部をバネ形状に加工して弾性体とすることもできる。基体を先端開口部へ向かって前進させる操作部としては、基体の後端に膨出部を形成してケース体の後端より該膨出部を突出させて操作部としたものや、基体の側面に膨出部を形成しケース体の側面より該膨出部を突出させて操作部としたもの等がある。
【００１４】
転写ヘッドがケース体の先端開口部より突出した際の突出状態を維持する係止手段としては、係止体から基体に向かって突出させた係止部を、基体の側面に係止受部として形成した凹部あるいは基体の後端へ係止させる方法。あるいは、逆に基体の側面からケース体に向かって突出させた係止部を、ケース体に係止受部として形成した凹部に係止させる方法等でも良い。係止を解除する方法としては、係止している係止部をズラすことにより係止を解除したり、あるいは基体をケース体の内部でズラすことにより係止を解除させる方法等がある。
【００１５】
クリップはケース体と一体に形成しても別体で形成してもよい。また、ケース体の後部の蓋体は、ケース体にヒンジ構造で開閉自在に固定したり、係合構造で着脱自在に取付けてもよい。
【００１６】
【実施例】
本発明の実施例を図で説明する。尚、本実施例では誤字を修正するために紙面へ修正塗膜を定着させる塗膜転写具について説明する。また、本実施例では塗膜転写具の転写ヘッドがある側を先端と表現し、その反対側を後端と表現する。図において同じ部材、同じ箇所を示す場合には同じ符号を付してある。また、表面の部材が透明で中身を透かすものであっても、図を理解し易くするために一部は破線で示し、転写テープは二点鎖線で示してある。
【００１７】
図１は本実施例の塗膜転写具を側面から見た図である。図２は図１を裏から見た図である。図３は図１のＡ−Ａ線断面図である。図４は要部拡大断面図である。塗膜転写具１は、透明な樹脂材で成型した二つのケース部材２，３を溶着で結合してなるケース体４の内部に、基材の表面に修正塗膜を塗着した転写テープ５を捲回した繰出リール６と巻取リール７及び転写ヘッド８を配した基体９を収容してある。基体９はケース部材２側にある基体部材１０とケース部材３側にある基体部材１１とからなる。基体部材１０は不透明な樹脂で、基体部材１１は透明な樹脂で形成してある。基体部材１０の内面には支軸１０ａ，１０ｂ，１０ｃ，１０ｄを形成してあり、後端にはケース体４の後端に形成した後端開口部４０ａより突出する膨出部１０ｅを延設して形成してある。基体部材１０と基体部材１１とは、基体部材１０の支軸１０ａ，１０ｂ，１０ｃ，１０ｄ及び膨出部１０ｅを基体部材１１の内面に溶着して一体としてある。尚、ケース体４の後部には蓋体４０を配設してあり、蓋体４０の前方に延設した舌片４０ｂの係合凸部４０ｃを、ケース体４の後端部に形成した係合凹部４ａに着脱自在に係合させてある。前述した後端開口部４０ａは蓋体４０に設けてある。
【００１８】
繰出リール６は、転写テープ５を捲回する捲回部６ａと、捲回部６ａより大径の大径部６ｂと、大径部６ｂの外周に形成した溝部６ｃと、捲回部６ａに同心円で設けた丸穴６ｄとを形成してある。巻取リール７は、転写テープ５を巻取る巻取部７ａと、捲取部７ａより大径の大径部７ｂと、大径部７ｂの外周に形成した溝部７ｃと、捲取部７ａに同心円で設けた丸穴７ｄとを形成してある。尚、繰出リール６の丸穴６ｄと巻取リール７の丸穴７ｄは、基体部材１０に形成した回転軸１０ｆと回転軸１０ｇにそれぞれ軸着してある。また、転写ヘッド８は、基体部材１０の支軸１０ａの断面と同じく長円に形成した貫通孔８ａを該支軸１０ａに嵌めて固定してある。転写テープ５は繰出リール６より繰出され、転写ヘッド８で折返され、巻取リール７で巻取られる。転写テープ５の経路は支軸１０ｂ，１０ｃ，１０ｄで調整してある。繰出リール６と巻取リール７とは、溝部６ｃと溝部７ｃとに掛け渡したゴムリング２０で連動させてある。
【００１９】
ケース部材２，３の中央部には、外方に隆起した空間部２ａ，３ａをそれぞれ設けてあり、空間部２ａ，３ａにはコイルスプリング１２，１３を配設してある。コイルスプリング１２，１３の後方には、ロの字形状の中間部材１４を配設してある。中間部材１４の前方部には棒状の凸部１４ａ，１４ｂを形成してあり、凸部１４ａ，１４ｂはコイルスプリング１２，１３の後端部に挿嵌してある。尚、コイルスプリング１２，１３及び中間部材１４は、コイルスプリング１２，１３の前端部が空間部２ａ，３ａの前端面に当接し、中間部材１４の後端部が空間部２ａ，３ａの後端面に当接することから、ケース体４から抜け落ちることはない。組立に際しては、ケース部材２，３を結合する前に組み込んである。また、基体９の側面には前方部より後方部が一段高くなる段部９ａを形成してあり、基体９を中間部材１４の開口部１４ｃに差し込み、段部９ａを中間部材１４の後端に当接させ、基体９と中間部材１４とが一体的に前後動するようにしてある。
【００２０】
ケース部材２の後方部の外側面には、窓部１５ａを設けたクリップ１５を形成してある。窓部１５ａの位置となるケース部材２の外側面には、ケース体４の前後方向に直交する方向に延びる軸部１６を隆起させて形成してある。また、窓部１５ａの前方部にはクリップ１５の外表面より凹んだ底壁１５ｂを形成してある。クリップ１５の窓部１５ａには係止体１７を配設してある。係止体１７には軸受部１７ａを形成してあり、該軸受部１７ａを軸部１６に軸着してある。係止体１７の後端部には基体９に向かって突出する係止爪１７ｂを形成してあり、軸部１６を挟んだ係止爪１７ｂの反対側には取付凹部１７ｃを形成してある。係止爪１７ｂは、ケース体４に穿設した窓孔４ｂに挿通してある。取付凹部１７ｃにはウレタン性のクッション部材１８を挿着してあり、クッション部材１８を圧縮した状態でクリップ１５の底壁１５ｂに当接させてある。したがって、この状態で係止爪１７ｂは、クッション部材１８の弾発力により軸部１６を支点にして基体９の外側面を弾発的に当接している。
【００２１】
次に、基体部材１０の膨出部１０ｅを操作部１９として押動し、転写ヘッド８をケース体４の前方に形成した先端開口部４ｄより突出させ、転写ヘッド８を使用状態とした時の説明をする。図５は使用状態の塗膜転写具を側面から見た図である。図６は図５の要部拡大断面図である。操作部１９を押動して基体９を前方へ移動させたところ、係止爪１７ｂが、基体９の外側面に当接しながら基体９の後端を過ぎたところでクッション部材１８の弾発力により軸部１６を支点に回転し、さらにケース体４の奥に差し込み、基体９の後端９ｂを係止した。この状態で転写ヘッド８は、ケース体４の先端開口部４ｄより突出した状態で維持された。また、図示はしないが、転写ヘッド８を紙面に接触させて移動したところ、転写テープ５に塗着した修正塗膜を紙面に転写することができた。また、本実施例では、転写ヘッド８が使用状態である時に、巻取リボン７の大径部７ｂ側の側面に形成した切溝７ｅが、ケース部材３の側面に穿設した開口窓３ｃと一致するので、切溝７ｅに板状のものを差し込んで回転させることにより、転写テープ５が弛んだ際の弛みを取ることができた。
【００２２】
図７は係止体と基体との係止を解除する時の一状態を示す図である。図に示すように、係止体１７は、係止爪１７ｂの反対側の部分（取付凹部１７ｃがある部分）を押動すると軸部１６を支点として回転し、係止爪１７ｂが基体９の後端９ｂから離間して係止を解除した。解除された基体９はコイルスプリング１２，１３の弾発力により転写ヘッド８が図１に示した待機位置に戻るまで後退すので、再び転写ヘッド８をケース体４により保護することができた。尚、係止を解除した状態はクッション部材１８が圧縮された状態となるため、再びノック操作部１９を押動すると、係止爪１７ｂは自動的に基体９の後端９ｂを係止することができた。
【００２３】
図８は蓋体４０の舌片４０ｂを内側に撓ませて、蓋体４０をケース体４から外した状態である。本実施例の塗膜転写具１は蓋体４０を外すことで、開放されたケース体４の内部から基体９を取り外すことができる。したがって、繰出リール６に捲回された転写テープ５が無くなった際には、未使用の転写テープ５が繰出リール６に捲回されている新しい基体と、使用済みの基体とを交換することができた。また、本実施例の塗膜転写具１は、コイルスプリング１２，１３が圧縮された状態（転写ヘッド８が突出した状態）で誤って蓋体４０を外してしまった場合でも、クッション部材１８の弾発力で係止体１７の係止爪１７ｂが基体の側面を当接して摺動する構造なので、基体４がケース体４の内部から勢いよく飛び出してしまうことを防げた。
【００２４】
図９は本発明の変形例の要部断面図である。変形例ではケース部材２に形成した軸部１６に対して、係止体２１の軸受部２１ａを軸着してある。係止体２１は先端部に係止爪２１ｂを形成してあり、軸部１６を挟んだ係止爪２１ｂの反対側には取付凹部２１ｃを形成してある。係止爪２１ｂは、ケース体４に穿設した窓孔４ｃに挿通してある。取付凹部２１ｃにはウレタン性のクッション部材１８を挿着してあり、クッション部材１８を圧縮した状態でクリップ１５の後部に形成した平地面１５ｃに当接させてある。したがって、この状態で係止爪２１ｂは、クッション部材１８の弾発力により軸部１６を支点にして基体９の外側面を弾発的に当接している。また、基体９の側面には、係止体２１の係止爪２１ｂが係止する係止凹部９ｃを形成してある。他の点は先の実施例と同様である。
【００２５】
図１０は、変形例の塗膜転写具を使用状態にした時の要部断面図である。変形例の塗膜転写具も先の実施例と同様に、基体部材１０の後端に延設した膨出部１０ｅを操作部１９として押動することにより、使用状態とすることができた。図１０に示すように変形例では、係止体２１の係止爪２１ｂを基体９の係止凹部９ｃに係止させて転写ヘッド（図示せず）の突出状態を維持することができた。係止を解除する場合も先の実施例と同様に、係止体２１における係止爪２１ｂの反対側の部分（取付凹部２１ｃがある部分）を押動することにより、軸部１６を支点として回転させ、係止爪２１ｂを係止凹部９ｃから離間して係止を解除できた。
【００２６】
【発明の効果】
本発明の塗膜転写具は以上のような構造なので、使用しない時には簡単な操作で転写ヘッドの保護することができ、また、使用する時には簡単な操作で転写ヘッドを使えるようにすることができるものとなった。
【図面の簡単な説明】
【図１】本実施例の塗膜転写具を側面から見た図である。
【図２】図１を裏から見た図である。
【図３】図１のＡ−Ａ線断面図である。
【図４】要部拡大断面図である。
【図５】使用状態の塗膜転写具を側面から見た図である。
【図６】図５の要部拡大断面図である。
【図７】係止体と基体との係止を解除する時の一状態を示す図である。
【図８】蓋体をケース体から外した状態である。
【図９】本発明の変形例の要部断面図である。
【図１０】変形例の塗膜転写具を使用状態にした時の要部断面図である。
【符号の説明】
１…塗膜転写具、
２…ケース部材、２ａ…空間部、
３…ケース部材、３ａ…空間部、
４…ケース体、４ａ…係合凹部、４ｂ，４ｃ…窓部、４ｄ…先端開口部、
４０…蓋体、４０ａ…後端開口部、４０ｂ…舌片、４０ｃ…係合凸部、
５…転写テープ、
６…繰出リール、６ａ…捲回部、６ｂ…大径部、６ｃ…溝部、６ｄ…丸穴、
７…巻取リール、７ａ…巻取部、７ｂ…大径部、７ｃ…溝部、７ｄ…丸穴、
８…転写ヘッド、８ａ…貫通孔、
９…基体、９ａ…段部、９ｂ…後端、９ｃ…係止凹部、
１０…基体部材、１０ａ，１０ｂ，１０ｃ，１０ｄ…支軸、１０ｅ…膨出部、
１０ｆ…回転軸、１０ｇ…回転軸、
１１…基体部材、
１２，１３…コイルスプリング、
１４…中間部材、１４ａ，１４ｂ…凸部、１４ｃ…開口部、
１５…クリップ、１５ａ…窓部、１５ｂ…軸部、１５ｃ…平地面、
１６…軸部、
１７…係止体、１７ａ…軸受部、１７ｂ…係止爪、１７ｃ…取付凹部、
１８…クッション部材、
１９…ノック操作部、２０…ゴムリング、
２１…係止体、２１ａ…軸受部、２１ｂ…係止爪、２１ｃ…取付凹部。
【図１】
2004216837.tif 000003
【図２】
2004216837.tif 000004
【図３】
2004216837.tif 000005
【図４】
2004216837.tif 000006
【図５】
2004216837.tif 000007
【図６】
2004216837.tif 000008
【図７】
2004216837.tif 000009
【図８】
2004216837.tif 000010
【図９】
2004216837.tif 000011
【図１０】
2004216837.tif 000012